【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
メタンとＣ２成分とＣ３成分とより重質の炭化水素成分を含むガス流を、揮発性残留ガス留分と、前記Ｃ２成分とＣ３成分とより重質の炭化水素成分の主要部分または前記Ｃ３成分とより重質の炭化水素成分を含む比較的揮発性の低い留分とに分離するプロセスであって、
（１）前記ガス流を第１の部分と第２の部分とに分割し、
（２）前記第１の部分を冷却し、
（３）前記第２の部分を冷却し、
（４）前記冷却された第１の部分と前記冷却された第２の部分とを混合し、冷却されたガス流を形成し、
（５）前記冷却されたガス流を第１の流れと第２の流れとに分割し、
（６）前記第１の流れを冷却し、実質その全てを凝縮し、その後により低い圧力に膨張させ、それによってこれをさらに冷却し、
（７）前記膨張冷却された第１の流れを加熱し、
（８）前記加熱膨張された第１の流れを処理集合体内に収容された第１および第２の吸収手段の間に原料として供給し、前記第１の吸収手段が前記第２の吸収手段の上方に位置し、
（９）前記第２の流れは前記より低い圧力に膨張させ、底部原料として前記第２の吸収手段に供給し、
（１０）第１の蒸留蒸気流を前記第１の吸収手段の上部領域から捕集し、１以上の熱交換手段内で十分に冷却し、その少なくとも一部を凝縮させ、前記加熱工程（７）の少なくとも一部を供給し、
（１１）前記少なくとも一部凝縮した第１の蒸留蒸気流を分離手段に供給し、その中で分離し、それによって凝縮流と第２の蒸留蒸気流を形成し、
（１２）前記凝縮流を、頂部原料として前記第１の吸収手段に供給し、
（１３）前記第２の蒸留蒸気流を前記１以上の熱交換手段内で加熱し、それによって前記冷却工程（２）および（６）の少なくとも一部を供給し、その後に前記加熱された第２の蒸留蒸気流を前記揮発性残留ガス留分として放出し、
（１４）蒸留液体流を前記第２の吸収手段の下部領域から捕集し、前記処理集合体内に収容された熱および物質移動手段内で加熱し、それによって前記冷却工程（３）の少なくとも一部を供給し、一方同時に前記蒸留液体流からより揮発性の高い成分を分解し、その後に前記加熱除去された蒸留液体流を前記処理集合体から前記比較的揮発性の低い留分として放出させ、
（１５）前記第１の吸収手段に対する前記原料流の量と温度を、前記第１の吸収手段の前記上部領域の温度を維持するのに有効とし、それによって前記比較的揮発性の低い留分中の成分の主要部分を回収する、プロセス。
【請求項２】
（ａ）前記冷却した第１の部分を、前記冷却した第２の部分と混合させて部分的に凝縮したガス流を形成し、
（ｂ）前記部分的に凝縮したガス流を、追加的な分離手段に供給し、その中で分離させて蒸気流および少なくとも１つの液体ストリームを提供し、
（ｃ）前記蒸気流を前記第１の流れと第２の流れとに分割し、
（ｄ）前記少なくとも１つの液体流の少なくとも一部を、前記より低圧に膨張させ、前記第２の吸収手段下側でかつ前記熱および物質移動手段上側の前記処理集合体にフィードとして供給する、
請求項１に記載のプロセス。
【請求項３】
（ａ）前記第１の流れを前記少なくとも１つの液体流の少なくとも一部と混合させて混合流を形成し、
（ｂ）前記混合流を冷却してそのすべてを実質的に凝縮し、続いて、より低圧に膨張させることによりさらに冷却し、
（ｃ）前記膨張させて冷却した混合流を加熱し、
（ｄ）前記加熱し膨張させた混合流を、前記第１の吸収手段および第２の吸収手段の間に前記フィードとして供給し、
（ｅ）第１の蒸留蒸気流を前記第１の吸収手段の上部領域から捕集し、１つ以上の熱交換手段において十分に冷却してその少なくとも一部を凝縮し、それにより、前記加熱工程（ｃ）の少なくとも一部を供給し、
（ｆ）前記少なくとも１つの液体流の残りの全ての部分を、前記より低圧に膨張させ、前記第２の吸収手段下側でかつ前記熱および物質移動手段上側の前記処理集合体に前記フィードとして供給する、
請求項２に記載のプロセス。
【請求項４】
（ａ）前記ガス流を冷却し、
（ｂ）前記冷却したガス流を前記第１の流れと第２の流れとに分割する、
請求項１に記載のプロセス。
【請求項５】
（ａ）前記ガス流を十分に冷却して部分的に凝縮し、
（ｂ）前記部分的に凝縮したガス流を追加的な分離手段に供給し、その中で分離し、蒸気流および少なくとも１つの液体流を提供し、
（ｃ）前記蒸気流を前記第１の流れと第２の流れとに分離し、
（ｄ）前記少なくとも１つの液体流の少なくとも一部を、前記より低圧に膨張させ、前記第２の吸収手段下側でかつ前記熱および物質移動手段上側の前記処理集合体にフィードとして供給する、
請求項４に記載のプロセス。
【請求項６】
（ａ）前記第１の流れを前記少なくとも１つの液体流の少なくとも一部と混合させて混合流を形成し、
（ｂ）前記混合流を冷却して、実質的に全てを凝縮し、続いて、より低圧に膨張させることによりさらに冷却し、
（ｃ）前記膨張させて冷却した混合流を加熱し、
（ｄ）前記加熱し膨張させた混合流を、前記第１および第２の吸収手段の間に前記フィードとして供給し、
（ｅ）第１の蒸留蒸気流を、前記第１の吸収手段の上部領域から捕集し、１つ以上の熱交換手段において十分に冷却し、その少なくとも一部を凝縮することにより、前記加熱工程（ｃ）の少なくとも一部を供給し、
（ｄ）前記少なくとも１つの液体流の残りの全ての部分を、前記より低圧に膨張させ、前記第２の吸収手段下側でかつ前記熱および物質移動手段上側の前記処理集合体に前記フィードとして供給する、
請求項５に記載のプロセス。
【請求項７】
前記追加的な分離手段を、前記処理集合体に収容する、請求項２、３、５、または６に記載のプロセス。
【請求項８】
（１）ガス捕集手段を、前記処理集合体に収容し、
（２）追加的な熱および物質移動手段を、前記ガス捕集手段内部に含み、前記追加的な熱および物質移動手段が、外部冷媒用の１つ以上のパスを含み、
（３）前記冷却したガス流を前記ガス捕集手段に供給し、前記追加的な熱および物質移動手段へと導き、前記外部冷媒によりさらに冷却し、
（４）前記さらに冷却したガス流を前記第１の流れと第２の流れとに分割する、
請求項１または４に記載のプロセス。
【請求項９】
（１）前記追加的な分離手段内に追加的な熱および物質移動手段が含まれ、前記追加的な熱および物質移動手段が外部冷媒用の１以上のパスを含み、
（２）前記蒸気流を前記追加的な熱および物質移動手段へ導き、前記外部冷媒により冷却して追加的な凝縮液を形成し、
（３）前記追加的な凝縮液をその中に分離された前記少なくとも一つの液体流の一部とする、請求項２、３、５、６、または７に記載のプロセス。
【請求項１０】
（１）前記熱および物質移動手段上方の前記処理集合体内に追加的な吸収手段が含まれ、
（２）前記追加的な吸収手段が、前記第２の吸収手段からの前記蒸留液体流に前記熱および物質移動手段からの前記分解されたより揮発性の高い成分との接触をもたらすように構成され、それによって第３の蒸留蒸気流と一部除去された蒸留液体流を生成し、
（３）前記第３の蒸留蒸気流を前記第２の吸収手段の前記下部領域に供給し、
（４）前記一部分解された蒸留液体流を前記熱および物質移動手段に供給して加熱し、それによりさらに分解し、前記比較的揮発性の低い留分として前記処理集合体から放出される前記加熱分解された蒸留液体流を形成する、請求項１、２、３、４、５、６、７、８、または９に記載のプロセス。
【請求項１１】
前記熱および物質移動手段が、外部加熱媒体が前記第２の部分が供給する熱を補充し、前記蒸留液体流から前記より揮発性の高い成分を分解させる、１つ以上のパスを含む、請求項１、２、３、７、８、９、または１０に記載のプロセス。
【請求項１２】
メタンとＣ２成分とＣ３成分とより重質の炭化水素成分を含むガス流を、揮発性残留ガス留分と、前記Ｃ２成分とＣ３成分とより重質の炭化水素成分の主要部分または前記Ｃ３成分とより重質の炭化水素成分を含む比較的揮発性の低い留分とに分離する装置であって、
（１）前記ガス流を第１の部分と第２の部分とに分割する第１の分割手段と、
（２）前記第１の分割手段に接続され、前記第１の部分を受け入れてこれを冷却する第１の熱交換手段と、
（３）処理集合体内に収容され、前記第１の分割手段に接続され、前記第２の部分を受け入れてこれを冷却する熱および物質移動手段と、
（４）前記第１の熱交換手段と前記熱および物質移動手段とに接続され、前記冷却された第１の部分と前記冷却された第２の部分とを受け入れ、冷却されたガス流を形成する混合手段と、
（５）前記混合手段に接続され、前記冷却されたガス流を受け入れてこれを第１の流れと第２の流れに分割する第２の分割手段と、
（６）前記第２の分割手段に接続され、前記第１の流れを受け入れてこれを十分に冷却して実質的に凝縮させる第２の熱交換手段と、
（７）前記第２の熱交換手段に接続され、前記実質的に凝縮させた第１の流れを受け入れてこれをより低い圧力に膨張させる第１の膨張手段と、
（８）前記第１の膨張手段に接続され、前記膨張冷却された第１の流れを受け入れてこれを加熱する第３の熱交換手段と、
（９）前記処理集合体内に収容され、前記第３の熱交換手段に接続した第１および第２の吸収手段であって、前記加熱膨張された第１の流れを前記第１および第２の吸収手段間にそこへの原料として受け入れ、前記第１の吸収手段が前記第２の吸収手段の上方に位置する前記第１および第２の吸収手段と、
（１０）前記第２の分割手段に接続され、前記第２の流れを受け入れてこれを前記より低い圧力に膨張させる第２の膨張手段であって、前記第２の吸収手段にさらに接続されて前記膨張させた第２の流れをそこへの底部原料として供給する第２の膨張手段と、
（１１）前記処理集合体内に収容され、前記第１の吸収手段に接続され、前記第１の吸収手段の上部領域から第１の蒸留蒸気流を受け入れる蒸気捕集手段と、
（１２）前記蒸気捕集手段にさらに接続され、前記第１の蒸留蒸気流を受け入れてこれを十分に冷却し、少なくともその一部を凝縮させ、それによって前記加熱工程（８）の少なくとも一部を供給する前記第３の熱交換手段と、
（１３）前記第３の熱交換手段に接続され、前記少なくとも一部凝縮された第１の蒸留蒸気流を受け入れ、これを凝縮流と第２の蒸留蒸気流とに分離する分離手段と、
（１４）前記分離手段にさらに接続され、前記凝縮流をそこへの頂部原料として受け入れる前記第１の吸収手段と、
（１５）前記分離手段にさらに接続され、前記第２の蒸留蒸気流を受け入れてこれを加熱し、それによって前記冷却工程（６）の少なくとも一部を供給する前記第２の熱交換手段と、
（１６）前記第２の熱交換手段にさらに接続され、前記加熱された第２の蒸留蒸気流を受け入れてこれをさらに加熱し、それによって前記冷却工程（２）の少なくとも一部を供給し、その後に前記さらに加熱した第２の蒸留蒸気流を前記揮発性残留ガス留分として放出する前記第１の熱交換手段と、
（１７）前記処理集合体内に収容され、前記第２の吸収手段に接続され、前記第２の吸収手段の下部領域から蒸留液体流を受け入れる液体捕集手段と、
（１８）前記液体捕集手段にさらに接続され、前記蒸留液体流を受け入れてこれを加熱し、それによって前記冷却工程（３）の少なくとも一部を供給し、一方同時に前記蒸留液体流からより揮発性の高い成分を分解し、その後に前記加熱分解された蒸留液体流を前記処理集合体から前記比較的揮発性の低い留分として放出する前記熱および物質移動手段と、
（１９）前記第１の吸収手段に対する前記原料流の量と温度を調節するよう適合して、前記第１の吸収手段の前記上部領域の温度を維持し、それによって前記比較的揮発性の低い留分中の前記成分の主要部分を回収するよう適合させた制御手段と
を備える、装置。
【請求項１３】
（ａ）前記混合手段を前記冷却された第１の部分と前記冷却された第２の部分とを受け入れるように適合させ、一部凝縮したガス流を形成し、
（ｂ）追加的な分離手段を、前記第１の混合手段に接続し、前記一部凝縮したガス流を受け入れ、これを蒸気流と少なくとも一つの液体流とに分離し、
（ｃ）前記第２の分割手段を前記追加的な分離手段に接続し、前記蒸気流を受け入れ、これを前記第１と第２の流れに分割し、
（ｄ）第３の膨張手段を、前記追加的な分離手段に接続し、前記少なくとも１つの液体流の少なくとも一部を受け入れ、これを前記より低い圧力に膨張させ、さらに前記処理集合体に接続させ、その前記第２の吸収手段下側でかつ前記熱および物質移動手段上側に前記少なくとも１つの液体流の前記膨張した少なくとも一部を原料として供給する、
請求項１２に記載の装置。
【請求項１４】
（ａ）追加的な混合手段を前記第２の分割手段および前記追加的な分離手段に接続し、前記第１の流れおよび前記少なくとも１つの液体流の少なくとも一部を受け入れ、混合流を形成し、
（ｂ）前記第２の熱交換手段を前記追加的な混合手段に接続し、前記混合流を受け入れ、それを十分に冷却して実質的に凝縮し、
（ｃ）前記第１の膨張手段を、前記第２の熱交換手段に接続し、前記実質的に凝縮した混合流を受け入れ、より低圧に膨張させ、
（ｄ）前記第３の熱交換手段を、前記第１の膨張手段に接続し、前記膨張させて冷却した混合流を受け入れ、これを加熱し、
（ｅ）前記第１および第２の吸収手段を、前記第３の熱交換手段に接続し、前記加熱し膨張させた混合流を、前記第１および第２の吸収手段の間にフィードとして受け入れ、
（ｆ）前記第３の膨張手段を、前記追加的な分離手段に接続し、前記少なくとも１つの液体流の残りの全ての部分を受け入れ、前記より低圧に膨張させ、前記第３の膨張手段を前記処理集合体にさらに接続し、前記第２の吸収手段の下側でありかつ前記熱および物質移動手段の上側のフィードとして、前記少なくとも１つの液体流の前記膨張した残りの全ての部分を供給する、
請求項１３に記載の装置。
【請求項１５】
（ａ）前記第１の熱交換手段を、前記ガス流を冷却するために適合し、
（ｂ）前記第１の分割手段を、前記第１の熱交換手段に接続して、前記冷却したガス流を受け入れ、前記第１の流れおよび第２の流れに分割する、
請求項１２に記載の装置。
【請求項１６】
（ａ）前記第１の熱交換手段を、前記ガス流が部分的に凝縮するように十分に冷却するよう適合し、
（ｂ）追加的な分離手段を、前記第１の熱交換手段に接続し、前記部分的に凝縮したガス流を受け入れ、蒸気流と少なくとも１つの液体流に分離し、
（ｃ）前記第１の分割手段を、前記追加的な分離手段に接続し、前記蒸気流を受け入れ、前記第１の流れおよび第２の流れに分割し、
（ｄ）第３の膨張手段を、前記追加的な分離手段に接続し、前記少なくとも１つの液体流の少なくとも一部を受け入れ、前記より低圧に膨張させ、前記第３の膨張手段を前記処理集合体にさらに接続し、前記第２の吸収手段の下側でかつ前記熱および物質移動手段の上側に原料として前記少なくとも１つの液体流の前記膨張した少なくとも一部を供給する、
請求項１５に記載の装置。
【請求項１７】
（ａ）追加的な混合手段を、前記第１の分割手段および前記追加的な分離手段に接続し、前記第１の流れおよび前記少なくとも１つの液体流の少なくとも一部を受け入れ、混合流を形成し、
（ｂ）前記第２の熱交換手段を前記追加的な混合手段に接続し、前記混合流を受け入れ、それを十分に冷却して実質的に凝縮し、
（ｃ）前記第１の膨張手段を、前記第２の熱交換手段を接続して前記実質的に凝縮した混合流を受け入れ、より低圧に膨張させ、
（ｄ）前記第３の熱交換手段を前記第１の膨張手段に接続し、前記膨張冷却した混合流を受け入れ、それを加熱し、
（ｅ）前記第１および第２の吸収手段を、前記第３の熱交換手段に接続し、前記第１および第２の吸収手段の間にフィードとして、前記加熱膨張させた混合流を受け入れ、
（ｆ）前記第３の膨張手段を、前記第３の追加的な分離手段に接続し、前記少なくとも１つの液体流の残りの全ての部分を受け入れ、前記より低圧に膨張させ、前記第３の膨張手段を前記処理集合体にさらに接続し、前記少なくとも１つの液体流の前記膨張した残りの全ての部分を、前記第２の吸収手段の下側でかつ前記熱および物質移動手段の上側に前記原料として供給する、
請求項１６に記載の装置。
【請求項１８】
前記追加的な分離手段を、前記処理集合体に収容する、請求項１３、１４、１６、または１７に記載の装置。
【請求項１９】
（１）ガス捕集手段を前記処理集合体に収容し、
（２）前記追加的な熱および物質移動手段を前記ガス捕集手段内部に含み、前記追加的な熱および物質移動手段が、外部冷媒用の１つ以上のパスを含み、
（３）前記ガス捕集手段を、前記第１の混合手段に接続し、前記冷却したガス流を受け入れ、前記追加的な熱および物質移動手段へと導き、前記外部冷媒によりさらに冷却し、
（４）前記第１の分割手段を、前記さらに冷却したガス流を受け入れ、前記第１の流れおよび第２の流れに分割するように前記ガス捕集手段に接続するよう適合する、
請求項１２に記載の装置。
【請求項２０】
（１）ガス捕集手段を前記処理集合体に収容し、
（２）追加的な熱および物質移動手段を、前記ガス捕集手段内部に含み、前記追加的な熱および物質移動手段が、外部冷媒用の１つ以上のパスを含み、
（３）前記ガス捕集手段を、前記第１の熱交換手段に接続し、前記冷却したガス流を受け入れ、前記追加的な熱および物質移動手段へ導き、前記外部冷媒によりさらに冷却し、
（４）前記分割手段を、前記ガス捕集手段に接続するよう適合させ、前記さらに冷却したガス流を受け入れ、前記第１および第２の流れに分割する、
請求項１５に記載の装置。
【請求項２１】
（１）追加的な熱および物質移動手段を、前記追加的な分離手段の内部に含み、前記追加的な熱および物質移動手段が、外部冷媒用の１つ以上のパスを含み、
（２）前記蒸気流を、前記追加的な熱および物質移動手段に導き、前記外部冷媒により冷却し、追加的な凝縮液を形成し、
（３）前記追加的な凝縮液が、その中で分離した前記少なくとも１つの液体流の一部となる、
請求項１３、１４、１６、１７、または１８に記載の装置。
【請求項２２】
（１）追加的な吸収手段を、前記熱および物質移動手段の上側の前記処理集合体内部に含み、前記熱および物質移動手段に接続し、前記分解したより揮発性の高い成分を受け入れ、
（２）前記追加的な吸収手段を、前記液体捕集手段にさらに接続し、前記蒸留液体流を受け入れ、前記分解したより揮発性の高い成分と前記蒸留液体流の接触を提供することにより、第３の蒸留蒸気流および部分的に分解した蒸留液体流を形成し、
（３）前記第２の吸収手段を、前記追加的な吸収手段に接続して、第３の蒸留蒸気流を受け入れ、前記第２の吸収手段の前記下部領域に供給するよう適合し、
（４）前記熱および物質移動手段を、前記追加的な吸収手段に接続するよう適合させ、前記部分的に分解した蒸留液体流を受け入れて加熱することにより、さらに分解して前記処理集合体から前記比較的揮発性の低い留分として放出させる前記加熱分解された蒸留液体流を形成する、
請求項１２、１３、１４、１５、１６、１７、１８、１９、２０、または２１に記載の装置。
【請求項２３】
前記熱および物質移動手段が、前記第２の部分が供給する前記熱を補充して前記蒸留液体流から前記より揮発性の高い成分を分解する外部熱媒体用の１以上のパスを含む、請求項１２、１３、１４、１８、１９、２１、または２２に記載の装置。